(57)【特許請求の範囲】
【請求項１】
回転体に固定的に設置される固定バンドと回転体に非固定的に設置される複数の可動バンドと少なくとも一つのバンドシリンダとでこれらの隣接する端部同士を枢着してリング状に形成され可動バンドをバンドシリンダで開閉するケーシング掴み用バンドによりケーシングを把持しながら圧入するケーシングドライバに設けられ、ケーシングの圧入時に可動バンドが浮き上がるのを防止するケーシングドライバの可動バンドの浮き上がり防止機構であって、係止部を有し回転体に立設されるピンと、係止部を含むピンを挿通させることができピンを挿通して可動バンドを回転体に設置したときに可動バンドの開閉動作を可能にするように形成された可動バンドの長孔と、ピンに装着可能でピンの係止部で抜け止めされるピン装着孔を中央に有しピン装着孔を通る分割線で分割形成されたストッパ部材と、ストッパ部材の分割片をピンに装着したときに各分割片とボルトで螺着することにより各分割片を固定して一体化させるストッパ固定部材とを設けて構成したことを特徴とするケーシングドライバの可動バンドの浮き上がり防止機構。
【請求項２】
ピンの周囲に環状溝を形成することにより、ストッパ部材のピン装着孔を装着するための小径の段付き部を形成するとともに、この段付き部の上方に係止部を形成するようにしたことを特徴とする請求項１記載のケーシングドライバの可動バンドの浮き上がり防止機構。
【請求項３】
ストッパ部材がピンに対して回動しないようにするためのストッパ部材の回り止め手段を設け、ケーシングの圧入によりストッパ部材に作用する曲げ力がその分割線に沿って作用しないようにストッパ部材の分割片を位置決めしてストッパ固定部材で固定したときに、前記の回り止め手段によりストッパ部材を回動できないようにしたことを特徴とする請求項１又は請求項２に記載のケーシングドライバの可動バンドの浮き上がり防止機構。
【発明の詳細な説明】
【０００１】
【発明の属する技術分野】
本発明は、固定バンドと可動バンドとバンドシリンダとで開閉可能にリング状に形成されたケーシング掴み用バンドによりケーシングを把持しながら圧入するケーシングドライバに設けられ、ケーシングの圧入時に可動バンドが浮き上がるのを防止するケーシングドライバの可動バンドの浮き上がり防止機構に関する。
【０００２】
【従来の技術】
土木、建築工事に使用する大口径鋼管杭や鋼管類等の管状ケーシング（以下単に「ケーシング」という。）の圧入や引き抜きを行う装置として、例えば特開平５ー３３１８５３号公報（特公平７ー７４５００号公報）に示されているようなケーシングドライバが従来から一般的に知られている。このケーシングドライバは、「ケーシングドライバの基部をなし複数本のガイドフレームを立設した略方形の枠状のベースフレームと、ガイドフレームに沿って昇降自在に取り付けられた昇降フレームと、ベースフレームに立設されこの昇降フレームを昇降させる複数本のスラストシリンダと、昇降フレーム内に回転自在に取り付けられ油圧モータで回転駆動されるリング状の回転体と、この回転体に取り付けられたケーシング掴み用バンド」とで構成されている。
【０００３】
特に、ケーシング掴み用バンドについて言及すると、ケーシング掴み用バンドは、通常、回転体に固定的に設置される円弧状の固定バンドと、回転体に非固定的に設置される複数の円弧状の可動バンドと、少なくとも一つの油圧式のバンドシリンダとを有し、これらの隣接する端部同士をピンで枢着することにより、中央にケーシング挿通用空間を有するようにリング状に形成されており、可動バンドをバンドシリンダで開閉できるように構成されている。そして、ケーシングを昇降フレーム内の回転体やベースフレームの中央部空間に挿通させつつケーシング掴み用バンドのケーシング挿通用空間に挿通させてバンドシリンダを縮めることにより可動バンドを閉じてケーシングを把持する。また、バンドシリンダを伸ばすことにより可動バンドを開いてその把持を解除できるようにしている。このケーシング掴み用バンドは、油圧モータで回転駆動したりスラストシリンダで昇降駆動したりすることができるように昇降フレーム内の回転体に設置している。なお、ケーシングドライバで最初に圧入される最先端のケーシングは、先端ケーシングと称し、これに継ぎ足される他のケーシングとは異なり、先端にカッタを取り付けたものを用いる。
【０００４】
ケーシングドライバでケーシングの圧入工程を実施するときには、まず、先端ケーシングをケーシング掴み用バンドで把持する。しかる後、ケーシング掴み用バンドを、回転体を介して油圧モータで回転駆動しながら、昇降フレームをスラストシリンダで下降させることにより、先端ケーシングを押し込んで地中に圧入する。こうしてスラストシリンダが略限界まで縮んだら、ケーシング掴み用バンドでの先端ケーシングの把持を解除して、ケーシング掴み用バンドを、スラストシリンダを伸ばすことにより上昇させ、しかる後、再び、先端ケーシングをケーシング掴み用バンドで把持して回転駆動しながら下降させて地中に圧入する。こうした操作は、先端ケーシングの長さに応じて適当回数行って先端ケーシングを漸次圧入し、先端ケーシングの大半が地中に埋没するようにする。この間、先端ケーシングの圧入抵抗を軽減するため、その圧入過程で先端ケーシング内に溜った土砂をハンマーグラブ等で掘削して地上に搬出する。以上の作業により先端ケーシングを地中に圧入して縦穴を掘削したら、これにケーシングを適宜継ぎ足して、同様の作業を順次繰り返して縦穴を掘削し、先端ケーシングを設定地点まで圧入して縦穴の掘削を終了する。
【０００５】
しかるに、こうしたケーシングドライバにおける可動バンドは、回転体上に回動可能に設置しなければならず、固定バンドのように回転体に固定することはできないため、前記のケーシングの圧入工程において、ケーシングの圧入時の反力により上方に持ち上げられ、回転体から離されるようにして浮き上がる。その結果、可動バンドが変形したり、さらには固定バンドにも影響して固定バンドの損傷をもたらすこともある。そのため、従来、こうしたケーシングドライバの可動バンドの浮き上がりを防止する機構も開発されており、その例として、特開平８ー１３４９１号公報に記載の「ケーシング掘削機の移動バンドの取付機構」を挙げることができる。本発明は、この公報に記載されている従来の機構を改良しようとするものである。
【０００６】
そこで、この従来の技術を図６及び図７を用いて説明する。図６は、従来のケーシングドライバの可動バンドの浮き上がり防止機構についての取付構造を示す図、図７は、図６のケーシングドライバの可動バンドの浮き上がり防止機構についての要部の側断面図である。なお、従来の技術を説明するに当たっては、本発明との対応関係が明確になるように、できるだけ本明細書の用語を用いる。
【０００７】
これらの図に基づいて、まず、ケーシング掴み用バンド３の構造の概要を説明すると、ケーシング掴み用バンド３は、ここに示す例では、回転体６上に非固定的に設置されて隣接する端部同士をピンで枢着した内面が円弧状の三つの可動バンド３２ａ，３２ｂ，３２ｃと、回転体６に固定されている、図に表れていない内面が円弧状の一つの固定バンドと、図に表れていない二つの油圧式のバンドシリンダとを有している。そして、両端位置の可動バンド３２ａ，３２ｃの各外側端部と固定バンドの各端部にそれぞれ各バンドシリンダの両端部をピンで枢着して、可動バンド３２ａ，３２ｃの各外側端部と固定バンドの両端部の対向する端部同士を各バンドシリンダで連結することにより、中央にケーシング挿通用空間を有するようにリング状に形成されている。したがって、バンドシリンダを縮めると、各可動バンド部材３２ａ，３２ｂ，３２ｃが固定バンド側に引き寄せられてケーシング挿通用空間内のケーシングに押し当てられ、ケーシングを締め付けるようにして把持する。
【０００８】
ケーシング掴み用バンド３が設置される回転体６は、図示していない昇降フレームに回転可能に支持されて、モータの回転が減速して伝達され得るように構成されている。この回転体６は、種々のタイプのものがあるが、通常、昇降フレームに回転可能に支持する部分である旋回リングと、モータで回転駆動されるギヤと噛み合ってその回転を減速して伝達する部分であるリングギヤとを有する。ケーシングドライバの可動バンドの浮き上がり防止機構４について説明すると、この可動バンドの浮き上がり防止機構４は、前述したように、ケーシングの圧入時に可動バンド３２ａ，３２ｂ，３２ｃが浮き上がるのを防止する機構あり、ここでは、中央の可動バンド３２ｂに設けた例を示す。この可動バンド３２ｂには、後述する可動バンドの浮き上がり防止機構４のボルト４１を挿通させることができ、ボルト４１を挿通させたときに、可動バンド３２ｂを、その開閉動作を可能にするよう移動できるようにするための長角孔４５が形成されている。
【０００９】
可動バンドの浮き上がり防止機構４は、下端部が上方へ抜けないように回転体６の上部のバンド支持部材６ａに固定されて可動バンド３２ｂの長角孔４５に挿通できるボルト４１と、ボルト４１に嵌挿され後記ナット４３及び角形ブッシュ４４間で挟持されるワッシャ４２と、ボルト４１の上端側に螺着してワッシャ４２を角形ブッシュ４４と協働して締め付けることができる２個のナット４３と、頂部に可動バンド３２ｂを押さえるための鍔部を有しボルト４１の中間部に嵌挿される略正方形の角形ブッシュ４４とで構成されている。この角形ブッシュ４４は、長角孔４５に、その長手方向に沿って摺動できるように嵌められる。
【００１０】
こうした可動バンドの浮き上がり防止機構４を用いてケーシング掴み用バンド３を組み立てるときには、まず、回転体６のバンド支持部材６ａに固定されているボルト４１を長角孔４５に挿通させるようにして可動バンド３２ｂを回転体６上に設置する。しかる後、角形ブッシュ４４を長角孔４５に嵌めるようにしてボルト４１に嵌挿し、次いで、ボルト４１にワッシャ４２を嵌挿し、次いで、ボルト４１の上端側に２個のナット４３を螺合し、角形ブッシュ４４及びワッシャ４２を介して可動バンド３２ｂを浮き上がらないようにこれらのナット４３で押さえ込む。したがって、こうした従来の技術によれば、ケーシングドライバによるケーシングの圧入時にその圧入時の反力で可動バンド３２ａ，３２ｂ，３２ｃが浮き上がるのを防止することができる。また、このケーシング掴み用バンド３を分解するときには、２個のナット４３をボルト４１から取り外し、次いで、ワッシャ４及び角形ブッシュ４４をボルト４１から抜取り、最後に可動バンド３２ｂを取り外す。
【００１１】
【発明が解決しようとする課題】
このように、従来の技術は、可動バンド３２ａ，３２ｂ，３２ｃがケーシングの圧入時に浮き上がるのを防止することができ、ケーシング掴み用バンド３の組立や分解を行うことができるが、ケーシングの圧入時の反力がボルト４１に作用するため、ボルト４１に大径のものを使用する必要がある。そして、この大径のボルト４１に可動バンド３２ｂを押さえ込むための２個ナット４３を直接螺着するようにしているため、これらのナット４３の締め付けトルクが大きくなり、ケーシング掴み用バンド３の組立・分解作業に多大の労力と時間を要して作業能率の低下をもたらすこととなる。
【００１２】
本発明は、従来の技術にみられるこうした問題を解消しようとするものであって、その技術課題は、従来の技術と比べてケーシング掴み用バンドの組立・分解作業の作業能率を向上させることができるケーシングドライバの可動バンドの浮き上がり防止機構を提供することにある。
【００１３】
【課題を解決するための手段】
本発明は、こうした技術課題を達成するため、
回転体に固定的に設置される固定バンドと回転体に非固定的に設置される複数の可動バンドと少なくとも一つのバンドシリンダとでこれらの隣接する端部同士を枢着してリング状に形成され可動バンドをバンドシリンダで開閉するケーシング掴み用バンドによりケーシングを把持しながら圧入するケーシングドライバに設けられ、ケーシングの圧入時に可動バンドが浮き上がるのを防止するケーシングドライバの可動バンドの浮き上がり防止機構を構成する場合に、
係止部を有し回転体に立設されるピンと、係止部を含むピンを挿通させることができピンを挿通して可動バンドを回転体に設置したときに可動バンドの開閉動作を可能にするように形成された可動バンドの長孔と、ピンに装着可能でピンの係止部で抜け止めされるピン装着孔を中央に有しピン装着孔を通る分割線で分割形成されたストッパ部材と、ストッパ部材の分割片をピンに装着したときに各分割片とボルトで螺着することにより各分割片を固定して一体化させるストッパ固定部材とを設けて構成した。
【００１４】
本発明では、ケーシングドライバの可動バンドの浮き上がり防止機構をこのように構成したので、この可動バンドの浮き上がり防止機構を用いてケーシング掴み用バンドを組み立てるときには、まず、回転体に立設したピンを可動バンドの長孔に挿通させるようにして可動バンドを回転体上に設置し、次いで、その可動バンドの上方においてストッパ部材の各分割片をピンに装着してストッパ固定部材にボルトで螺着すると、各分割片をストッパ固定部材で固定して一体化させることができる。そうすると、ストッパ部材はピンの係止部で係止されるため、可動バンドを浮き上がらないようにストッパ部材で押さえ込むことができて、ケーシングドライバでのケーシングの圧入時に圧入時の反力で可動バンドが浮き上がるのを防止することができる。
【００１５】
また、このケーシング掴み用バンドを分解するときには、ボルトをストッパ部材やストッパ固定部材から外してこれらの部材をピンから取り外し、次いで、可動バンドをピンから抜き取るようにすればよい。本発明では、ケーシングの圧入時の反力をストッパ部材で受けたときに、その反力がピンには作用するもののボルトには作用しないので、ピンは大径のにする必要があっても、ボルトは、小サイズのものを使用することができる。そのため、以上のようなケーシング掴み用バンドの組立・分解作業を行う際、ボルトの着脱が簡単に行えてその作業能率を向上させることができる。
【００１６】
【発明の実施の形態】
以下、本発明が実際上どのように具体化されるのかを示す具体化例を図１乃至図５に基づいて説明することにより、本発明の実施の形態を明らかにする。図１は、本発明に係るケーシングドライバの可動バンドの浮き上がり防止機構の具体化例を示す正面図、図２は、図１の矢印Ａ方向の矢視図、図３は、図１の具体化例についての要部の拡大断面図、図４は、図３のＢ−Ｂ線断面図、図５は、図３の矢印Ｃ方向の矢視図である。
【００１７】
最初に、図１及び図２に示すケーシング掴み用バンド１の構造の概要を説明すると、ケーシング掴み用バンド１は、回転体５に固定的に設置される円弧状の内面を有する一つの固定バンド１１と、この固定バンド１１の両端部にそれぞれピン１３ａ，１３ｂで回動可能に枢着して連結した円弧状の内面を有する一対の可動バンド１２ａ，１２ｂと、各可動バンド１２ａ，１２ｂの非連結側の両端部にピン１５ａ，１５ｂで回動可能に枢着して連結する油圧式のバンドシリンダ１４とで構成され、中央にケーシング挿通用空間を有するようにリング状に形成されている。したがって、バンドシリンダ１４を縮めるように駆動すると、二つの可動バンド１２ａ，１２ｂが固定バンド１１の両端部のピン１３ａ，１３ｂ中心に回動してケーシングを固定バンド１１の円弧状内面に押し付けて位置決めしながら把持する。各可動バンド１２ａ，１２ｂは、間隔を置いた一対の側壁と上下の壁とによりボックス構造に形成されて内部空間を有している。
【００１８】
図１及び図２に示すケーシング掴み用バンド１は、従来の技術で説明したものと具体的な構造が若干異なるが、本発明に係るケーシングドライバの可動バンドの浮き上がり防止機構２は、従来の技術で説明したようなケーシング掴み用バンド３を備えたケーシングドライバにも設けることができる。この種のケーシング掴み用バンド１は、種々のタイプのものがあり、従来周知のものであるので詳細な説明は省略するが、要は、回転体に固定的に設置される固定バンドと回転体に非固定的に設置される複数の可動バンドと少なくとも一つのバンドシリンダとでこれらの隣接する端部同士を枢着してリング状に形成され、可動バンドをバンドシリンダで開閉しケーシングを把持する働きをするものである。本発明は、こうしたケーシング掴み用バンドであれば、何れのものにも適用することができる。
【００１９】
次に、ケーシングドライバの可動バンドの浮き上がり防止機構２につき図１乃至図５を用いて説明する。この可動バンドの浮き上がり防止機構２は、従来の技術で述べた可動バンドの浮き上がり防止機構と同様、ケーシングの圧入時に可動バンド１２ａ，１２ｂが浮き上がるのを防止する機構あり、図２には、一対の可動バンド１２ａ，１２ｂにそれぞれ設けた例を示している。可動バンドの浮き上がり防止機構２は、前記した各可動バンド１２ａ，１２ｂの内部空間に納められていて、実際は外部から見えないが、図１及び図２には、説明の便宜上、一方の可動バンド１２ｂの壁の一部を破断して、可動バンドの浮き上がり防止機構２を外部から見えるように図示している。
【００２０】
可動バンドの浮き上がり防止機構２の具体的な構造を説明すると、２１は係止部としての頭部２１ａを有し回転体５に立設されるピン、１６はこのピン２１を挿通して可動バンド１２ａ，１２ｂを回転体５に設置したときに可動バンド１２ａ，１２ｂの開閉動作を可能にするように形成された可動バンドの長孔、２２は二つの分割片２２ａ，２２ｂからなりピン２１に装着可能なピン装着孔２２ｃを中央に有し周縁部に多数のボルト孔２２ｄを設けたストッパ部材、２３はこのストッパ部材２２の分割片２２ａ，２２ｂをピン２１に装着したときに両分割片２２ａ，２２ｂを固定して一体化させるストッパ固定部材、２４はストッパ部材２２の分割片２２ａ，２２ｂをストッパ固定部材２３に螺着して一体化するための小径の分割片螺着用のボルトである。
【００２１】
前述したように、回転体には、種々のタイプのものがあるが、ここに示す例では、昇降フレームに回転可能に取り付けた旋回リング上にリングギヤを設けた回転体５を用いている。この回転体５の上面には、固定バンド１１及び可動バンド１２ａ，１２ｂを支持するためのバンド支持部材５ａを上張りしており、ピン２１は、このバンド支持部材５ａに固着することにより、回転体５に立設するようにしている。このピン２１には、先端部側の周囲に環状溝を形成することにより、ストッパ部材２２のピン装着孔２２ｃを装着するための小径の段付き部２１ｂを形成し、その上方に頭部２１ａを形成するようにしている。こうした方法によりピン２１を製作すると、頭部２１ａを有するピン２１を１本のロッド状素材を加工して製作することができるため、ピン２１の加工工程を簡素化することができ、かつ、強度の優れたピン２１を製作することができる。可動バンドの長孔１６は、従来の技術で述べた長角孔４５と同様の働きをするもので、頭部２１ａを含むピン２１を挿通できる幅を有していて、ピン２１への着脱が行えるようになっており、これにより、従来の技術と同様、ケーシング掴み用バンド１の組立・分解作業を自由に行い得るようにしている。
【００２２】
ストッパ部材２２のピン装着孔２２ｃは、ピン２１の段付き部２１ｂに装着され、ピン２１の頭部２１ａで抜け止めされるように段付き部２１ｂと略同径に形成されている。ストッパ部材２２は、ここに示す例ではピン装着孔２２ｃの中心を通る分割線で半円状に２分割して分割形成されているが、３分割して形成するようにしてもよく、要は、ピン装着孔２２ｃを通る分割線で複数個に分割して形成されていればよい。ストッパ固定部材２３は、ピン２１の頭部２１ａに嵌合可能な嵌合孔２３ａを中央に有するとともにストッパ部材２２の各ボルト孔２２ｄに対応する周縁部の各位置にボルト孔２３ｂを有している。したがって、この各ボルト孔２３ｂとストッパ部材２２の各ボルト孔２２ｄにボルト２４を螺合してストッパ部材２２の分割片２２ａ，２２ｂをストッパ固定部材２３にボルト２４で螺着することにより、両分割片２２ａ，２２ｂをストッパ固定部材２３で固定して一個のストッパ部材２２が形成されるように一体化することができる。
【００２３】
図５に示すように、ピン２１の頭部２１ａには、平面状の切欠き部２１ｃを設けているとともに、この切欠き部２１ｃに合致する平面状の孔壁２３ｃをストッパ固定部材２３の嵌合孔２３ａに形成している。このように、ピン２１の頭部２１ａに切欠き部２１ｃを設けて、これと嵌め合うような形状の嵌合孔２３ａをストッパ固定部材２３に形成することにより、ストッパ固定部材２３を回り止めしてストッパ部材２２を回り止めするストッパ部材２２の回り止め手段を形成することができる。ケーシングの圧入時にストッパ固定部材２３に過大な曲げ力が作用しないようにするため、ストッパ部材２２の両分割片２２ａ，２２ｂは、ケーシングの圧入によりストッパ部材２２に作用する曲げ力がストッパ部材２２の分割線に沿って作用しないように位置決めしてストッパ固定部材２３で固定する必要がある。そのため、ストッパ部材２２の分割線を長孔１６の長さ方向に対して略直交させるように両分割片２２ａ，２２ｂを位置決めして固定するようにしている。ストッパ部材２２の分割片２２ａ，２２ｂをこうした状態で位置決めして固定しても、それだけでは、ケーシングドライバの運転中にストッパ部材２２がストッパ固定部材２３と共に回動する危惧があるが、前記したようにストッパ部材２２の回り止め手段を設けているため、ストッパ部材２２がケーシングの圧入工程で回動するようなことはない。
【００２４】
このようなケーシングドライバの可動バンドの浮き上がり防止機構２を用いてケーシング掴み用バンド１を組み立てるときには、まず、回転体５に立設したピン２１を可動バンド１２ａ，１２ｂの長孔１６に挿通させるようにして可動バンド１２ａ，１２ｂを回転体５上のバンド支持部材５ａに設置する。次いで、ストッパ部材２２の二つの分割片２２ａ，２２ｂを可動バンド１２ａ，１２ｂの上方のピン２１の段付き部２１ｂに装着するとともにストッパ固定部材２３をピン２１の頭部２１ａに嵌合孔２３ａに嵌合して両分割片２２ａ，２２ｂをストッパ固定部材２３に多数のボルト２４により螺着すると、両分割片２２ａ，２２ｂをストッパ固定部材２３で固定して一体化させることができる。そうすると、ストッパ部材２２は、ピン２１の頭部２１ａで係止されるため、可動バンド１２ａ，１２ｂを浮き上がらないようにストッパ部材２２で押さえ込むことができて、ケーシングドライバでのケーシングの圧入時に圧入時の反力で可動バンド１２ａ，１２ｂが浮き上がるのを防ぐことができる。また、ケーシング掴み用バンド１を分解するときには、まず、各ボルト２４をストッパ部材２２やストッパ固定部材２３から外してこれらの部材２２，２３をピン２１から取り外し、次いで、可動バンド１２ａ，１２ｂをピン２１から抜き取るようにすればよい。
【００２５】
この可動バンドの浮き上がり防止機構２においては、ケーシングの圧入時の反力をストッパ部材２２で受けたときに、その反力がピン２１には作用するもののボルト２４には作用しないので、ピン２１は大径にする必要があっても、ボルト２４は、小サイズのものを使用することができ、以上のようなケーシング掴み用バンド１の組立作業や分解作業を行う際、ボルト２４の着脱が簡単に行えてその作業能率を向上させることができる。この可動バンドの浮き上がり防止機構２では、特に、ピン２１の頭部２１ａに切欠き部２１ｃを設けて、これと嵌め合うような形状の嵌合孔２３ａをストッパ固定部材２３に形成することにより、ストッパ部材２２の回り止め手段を形成しているので、ケーシングの圧入によりストッパ部材２２に作用する曲げ力がストッパ部材２２の分割線に沿って作用しないようにストッパ部材２２を位置決めしたときにその位置決めした状態をケーシングドライバの運転中に確実に保持することができて、ケーシングの圧入時にストッパ固定部材２３に過大な曲げ力が作用するのを防ぐことができる。なお、ストッパ部材２２の回り止め手段は、要は、ストッパ部材２２の回動を防ぐためのものであるから、ストッパ部材２２の回動を直接的に防ぐ手段であってもよく、また、ここに例示した構造だけに限らず種々の構造を採用することができる。
【００２６】
【発明の効果】
以上の説明から明らかなように、本発明は、ケーシングの圧入時に可動バンドが浮き上がるのを防止するケーシングドライバの可動バンドの浮き上がり防止機構を、「係止部を有し回転体に立設されるピンと、係止部を含むピンを挿通させることができピンを挿通して可動バンドを回転体に設置したときに可動バンドの開閉動作を可能にするように形成された可動バンドの長孔と、ピンに装着可能でピンの係止部で抜け止めされるピン装着孔を中央に有しピン装着孔を通る分割線で分割形成されたストッパ部材と、ストッパ部材の分割片をピンに装着したときに各分割片とボルトで螺着することにより各分割片を固定して一体化させるストッパ固定部材とを設けて構成した」ので、本発明によれば、その可動バンドの浮き上がり防止機構使用するボルトを小サイズのものにすることができるため、ケーシング掴み用バンドの組立・分解作業を行う際にボルトの着脱が簡単に行えてその作業能率を向上させることができる。その結果、ケーシング掴み用バンドの組立・分解作業の作業能率を向上させることができるケーシングドライバの可動バンドの浮き上がり防止機構を得ることができる。
【００２７】
本発明を具体化する場合、特に、特許請求の範囲の請求項２に記載のように具体化すれば、こうした効果を発揮することに加え、係止部を有するピンを１本のロッド状素材を加工して製作することができて、ピンの加工工程を簡素化することができ、かつ、強度の優れたピンを製作することができる。本発明を具体化する場合、特に、特許請求の範囲の請求項３に記載のように具体化すれば、ケーシングの圧入によりストッパ部材に作用する曲げ力がストッパ部材の分割線に沿って作用しないようにストッパ部材を位置決めしたときにその位置決めした状態をケーシングドライバの運転中に確実に保持することができて、ケーシングの圧入時にストッパ固定部材に過大な曲げ力が作用するのを防ぐことができる。
【図面の簡単な説明】
【図１】本発明に係るケーシングドライバの可動バンドの浮き上がり防止機構の具体化例を示す正面図である。
【図２】図１の矢印Ａ方向の矢視図である。
【図３】図１の具体化例についての要部の拡大断面図である。
【図４】図３のＢ−Ｂ線断面図である。
【図５】図３の矢印Ｃ方向の矢視図である。
【図６】従来のケーシングドライバの可動バンドの浮き上がり防止機構についての取付構造を示す図である。
【図７】図６のケーシングドライバの可動バンドの浮き上がり防止機構についての要部の側断面図である。
【符号の説明】
１    ケーシング掴み用バンド
２    可動バンドの浮き上がり防止機構
５    回転体
５ａ  バンド支持部材
１１    固定バンド
１２ａ，１２ｂ  可動バンド
１３ａ，１３ｂ  ピン
１４    バンドシリンダ
１５ａ，１５ｂ  ピン
１６    長孔
２１    ピン
２１ａ  ピンの頭部
２１ｂ  ピンの段付き部
２１ｃ  ピンの切欠き部
２２    ストッパ部材
２２ａ，２２ｂ  ストッパ部材の分割片
２２ｃ  ピン装着孔
２２ｄ  ボルト孔
２３    ストッパ固定板
２３ａ  嵌合孔
２３ｂ  ボルト孔
２３ｃ  平面状の孔壁２３ｃ
２４    ボルト
【図１】
0003839196.tif 000002
【図２】
0003839196.tif 000003
【図３】
0003839196.tif 000004
【図４】
0003839196.tif 000005
【図５】
0003839196.tif 000006
【図６】
0003839196.tif 000007
【図７】
0003839196.tif 000008